(57)【要約】  フィルムアッセンブリーは、第１のサイドと、第１のサイトと反対側の第２のサイドを有する偏光子と、偏光子の第１のサイドに接合された接着剤の第１の層と、偏光子の第２のサイドに接合された接着剤の第２の層と、を含む。接着剤の第１および第２の層と偏光子がロール可能なフィルムを形成する。
2014514612.tif 000002
【特許請求の範囲】
【請求項１】
第１のサイドと、第１のサイトと反対側の第２のサイドを有する偏光子と、
偏光子の第１のサイドに接合された接着剤の第１の層と、
偏光子の第２のサイドに接合された接着剤の第２の層と、を含み、
接着剤の第１および第２の層と偏光子がロール可能なフィルムを形成する、
フィルムアッセンブリー。
【請求項２】
第１および第２の層が異なる厚みを有する、請求項１のフィルムアッセンブリー。
【請求項３】
接着剤の第１の層が約０．００１インチの厚みを有し、接着剤の第２の層が約０．００７インチの厚みを有する、請求項２のフィルムアッセンブリー。
【請求項４】
接着剤の第１および第２の層が感圧接着剤である、請求項１のフィルムアッセンブリー。
【請求項５】
接着剤の第１および第２の層が、ロールツーロール積層プロセスを介して偏光子アッセンブリーに施されている、請求項４のフィルムアッセンブリー。
【請求項６】
接着剤の第１の層は、偏光子を液晶ディスプレイ（ＬＣＤ）アッセンブリーに接合するように構成されており、接着剤の第２の層は、偏光子を全体的に堅い基板アッセンブリーに接合するように構成されている、請求項１のフィルムアッセンブリー。
【請求項７】
全体的に堅い基板アッセンブリーが、カバーガラスとタッチスクリーンディスプレイの少なくとも１つを含む、請求項６のフィルムアッセンブリー。
【請求項８】
第１および第２の接着剤層の少なくとも１つの外側表面上に設けられた取り外し可能な保護層を更に含む、請求項１のフィルムアッセンブリー。
【請求項９】
積層されたアッセンブリーを作成するための方法であって、
柔軟な偏光子を提供することと、
第１の接着剤層を提供することと、
第１の接着剤層を柔軟な偏光子の第１のサイドに積層することと、
第２の接着剤層を提供することと、
第２の接着剤層を第１のサイトと反対側の柔軟な偏光子の第２のサイドに積層して柔軟なフィルムを形成することと、
を含む方法。
【請求項１０】
第１および第２の接着剤層の少なくとも１つが感圧接着剤である、請求項９の方法。
【請求項１１】
第１の接着剤層が約０．００１インチの厚みを有し、第２の接着剤層が約０．００７インチの厚みを有する、請求項９の方法。
【請求項１２】
第１の接着剤層と第２の接着剤層の少なくとも１つが、ロールツーロール積層プロセスを使って柔軟な偏光子に積層される、請求項９の方法。
【請求項１３】
柔軟なフィルムを第１の接着剤層を介してディスプレイコンポーネントに積層してディスプレイアッセンブリーを形成することを更に含む、請求項９の方法。
【請求項１４】
柔軟なフィルムを第２の接着剤層を介して全体的に堅い基板に積層してディスプレイアッセンブリーを形成することを更に含む、請求項１３の方法。
【請求項１５】
全体的に堅い基板が、カバーガラスとタッチスクリーンの少なくとも１つを含む、請求項１４の方法。
【請求項１６】
第１のサイドと、第１のサイトと反対側の第２のサイドを有する柔軟な偏光子と、
柔軟な偏光子の第１のサイドに接合された感圧接着剤の第１の層と、
柔軟な偏光子の第２のサイドに接合された感圧接着剤の第２の層と、を含み、
感圧接着剤の第１および第２の層と柔軟な偏光子がロール可能なフィルムを形成する、
フィルムアッセンブリー。
【請求項１７】
感圧接着剤の第２の層が感圧接着剤の第１の層よりも分厚い、請求項１６のフィルムアッセンブリー。
【請求項１８】
感圧接着剤の第１および第２の層が、ロールツーロール積層プロセスを介して柔軟な偏光子に積層されている、請求項１６のフィルムアッセンブリー。
【請求項１９】
感圧接着剤の第１の層は、柔軟な偏光子をＬＣＤアッセンブリーに接合するように構成されており、感圧接着剤の第２の層は、柔軟な偏光子を全体的に堅い基板に接合するように構成されている、請求項１６のフィルムアッセンブリー。
【請求項２０】
感圧接着剤の第１の層と感圧接着剤の第２の層の少なくとも１つの外側表面に設けられた保護層を更に含む、請求項１６のフィルムアッセンブリー。
【発明の詳細な説明】
【技術分野】
【０００１】
［関連出願へのクロスリファレンス］この出願は、２０１１年４月２７日に出願された米国出願番号13/095,787の優先権と恩恵を主張し、それはその全体がここに引用によって組み込まれる。
【０００２】
本開示は、全体的に積層されたアッセンブリーの分野に関し、より特定には、１つ以上の接着剤層を有する偏光子アッセンブリーを製造することに関係するシステムと方法に関する。
【背景技術】
【０００３】
従来、液晶ディスプレイのような積層されたディスプレイアッセンブリーは、１つ以上の偏光子フィルムと、カバーガラスおよび／またはタッチスクリーンディスプレイのような追加のコンポーネンツを含む。そのような積層されたディスプレイアッセンブリーを作成することに関連付けられた挑戦がある。
【発明の概要】
【０００４】
一実施形態は、第１のサイドと、第１のサイトと反対側の第２のサイドを有する偏光子と、偏光子の第１のサイドに接合された接着剤の第１の層と、偏光子の第２のサイドに接合された接着剤の第２の層と、を含み、接着剤の第１および第２の層と偏光子がロール可能なフィルムを形成する、フィルムアッセンブリーに関する。
【０００５】
別の実施形態は、積層されたアッセンブリーを作成するための方法であって、柔軟な偏光子を提供することと、第１の接着剤層を提供することと、第１の接着剤層を柔軟な偏光子の第１のサイドに積層することと、第２の接着剤層を提供することと、第２の接着剤層を第１のサイトと反対側の柔軟な偏光子の第２のサイドに積層して柔軟なフィルムを形成することと、を含む方法に関する。
【０００６】
別の実施形態は、第１のサイドと、第１のサイトと反対側の第２のサイドを有する柔軟な偏光子と、柔軟な偏光子の第１のサイドに接合された感圧接着剤の第１の層と、柔軟な偏光子の第２のサイドに接合された感圧接着剤の第２の層と、を含み、感圧接着剤の第１および第２の層と柔軟な偏光子がロール可能なフィルムを形成する、フィルムアッセンブリーに関する。
【図面の簡単な説明】
【０００７】
【図１】図１は、例示的実施形態によるディスプレイアッセンブリーの概略的表現である。
【図２】図２は、例示的実施形態による図１のディスプレイアッセンブリーの分解図である。
【図３】図３は、例示的実施形態による図１のディスプレイアッセンブリーの分解断面図である。
【図４】図４は、例示的実施形態による図１のディスプレイアッセンブリーにおける使用のためのフィルムアッセンブリーの断面図である。
【図５】図５は、例示的実施形態による偏光子アッセンブリーとディスプレイアッセンブリーを作成する方法のフローチャートである。
【図６】図６は、例示的実施形態による接着剤層を偏光フィルムに施すためのシステムの概略的表現である。
【図７】図７は、例示的実施形態によるリジッドツーリジッド積層プロセスの概略的表現である。
【発明を実施するための形態】
【０００８】
図１−２を参照すると、例示的実施形態に従ってディスプレイアッセンブリー１０が示されている。ディスプレイ１０は、ＬＣＤまたはＯＬＥＤアッセンブリー、タッチスクリーンディスプレイアッセンブリー等を含んだ幅広い種類のディスプレイアッセンブリーを含んでいても良い。ディスプレイアッセンブリー１０は、車両ディスプレイ、商業用／産業用ディスプレイ等を含んだ幅広い種類の応用で使われても良い。ここに開示された様々な実施形態は、ディスプレイアッセンブリー１０のような様々なディスプレイアッセンブリーの製造を容易にすることに向けられている。
【０００９】
例示的実施形態によると、ディスプレイアッセンブリー１０は、ディスプレイ１２とカバーアッセンブリー１４を含む。ディスプレイ１２は、全体的に平面状のディスプレイアッセンブリーであっても良く、剛性、半剛性、または柔軟なディスプレイであっても良い。例えば、いくつかの実施形態では、ディスプレイ１２は、液晶ディスプレイ（ＬＣＤ）アッセンブリーであるかまたはそれを含む。その他の実施形態では、その他のタイプのディスプレイが使われても良い。一実施形態では、カバーアッセンブリー１４は、ディスプレイ１２の表面１５に積層されている。カバーアッセンブリー１４は、カバーガラス（例えば、剛性または半剛性で全体的に透明な基板等）、（例えば、スタイラス、フィンガーティップ等を介して入力を受け取るように構成された）タッチスクリーンディスプレイ、光学的エンハンスメントまたは位相差フィルム等を含んだ、各種のコンポーネンツの単独または組み合わせからなっていても良い。
【００１０】
カバーアッセンブリーを施す伝統的な方法は、複数の異なるタイプの積層ステップが関与する。例えば、カバーガラスをＬＣＤディスプレイに接合するために、接着剤がまずサイズに切り取られ、それからディスプレイまたはカバーガラスの表面に（例えば、フレキシブルツーリジッド積層プロセスを介して）積層され、その後カバーガラスはそれから接着剤を介してディスプレイに（例えば、リジッドツーリジッド積層プロセスを介して）積層されるであろう。ここでの様々な実施形態は、（例えば、そうでなければ接着剤および偏光子フィルムのような個別のコンポーネンツを特定のサイズに切り取るのに要求される切断動作の数を削減することによって）関与するステップの数を削減し得て、従ってカバーアッセンブリーのＬＣＤディスプレイのようなディスプレイへの接合に関係して要求される時間とコストを削減し得る、アッセンブリーおよび組み立て方法に向けられている。
【００１１】
ここで図３を参照すると、例示的実施形態に従って、図１のディスプレイアッセンブリーの分解図がより詳細に示されている。上で示されたように、ディスプレイアッセンブリー１０は、ディスプレイ１２と、１つ以上のカバーアッセンブリー１４を含む。一実施形態では、ディスプレイ１２は、偏光子２６と、ガラス基板、液晶等のようなその他のディスプレイコンポーネンツ２０を含んだ液晶ディスプレイを含む。例えば、一実施形態によると、ディスプレイ１２は、第１の偏光子、ガラス基板、液晶、第２のガラス基板、および第２の偏光子を含んでいても良い。ディスプレイ１２はまた、後方反射表面および／または光源を含んでいても良い。
【００１２】
いくつかの実施形態では、図３−４に示されるように、偏光子２６が偏光子アッセンブリー２８の形で設けられている。偏光子アッセンブリー２８は、偏光子２６の第１の表面に接合された第１の接着剤層２２と、第１の表面とは反対側の偏光子２６の第２の表面に接合された第２の接着剤層２４を含んでいても良い。いくつかの実施形態では、第１の接着剤層２２と第２の層２４の一方または両方が、感圧接着剤（ＰＳＡ）からなっていても良い。その他の実施形態では、アクリリックベースの接着剤、シリコーンエポキシ接着剤、またはその他の好適な化学的性質を有する接着剤のような、その他の好適なタイプの接着剤が、第１の接着剤層２２および／または第２の接着剤層２４について使われても良い。偏光子２６は、柔軟な偏光子であっても良く、ＰＳＡは光学的に透明であっても良い。更には、偏光子２６は、（例えば、ＯＬＥＤおよび／またはカバーガラス、タッチスクリーン等に積層されるべき）直線偏光子、または代替的に円偏光子であっても良い。
【００１３】
例示的実施形態によると、第１の接着剤層２２と第２の接着剤層２４は、実質的に同様の厚みを有していても良い一方で、その他の実施形態では、第１の接着剤層２２と第２の層２４は異なる厚みを有していても良い。例えば、第１の接着剤層２２は、比較的より分厚い接着剤層（例えば、ＰＳＡの比較的より分厚い層）であっても良く、第２の接着剤層２４は比較的より薄い接着剤層（例えば、ＰＳＡの比較的より薄い層）であっても良い。一実施形態では、第１の接着剤層２２は、約０．００１インチの厚みを有する感圧接着剤の比較的薄い層であっても良く、第２の接着剤層２４は、約０．００７インチの厚みを有する感圧接着剤の比較的より分厚い層であっても良い。その他の実施形態では、第１の接着剤層２２と第２の接着剤層２４の厚みは変動しても良い（例えば、一実施形態では、第２の接着剤層２４が約０．０４０インチの厚みである、等）。その他の実施形態では、接着剤層の一方または両方が、０．０６０インチ、０．１００インチ、または０．１００インチより大きいまで分厚くても良い。
【００１４】
様々な例示的実施形態によると、接着剤層２２、２４は、各種の好適な感圧接着剤を含んでいても良い。一般的に、感圧接着剤は、（例えば、その間に感圧接着剤の層を有する２つのロールされた物品に圧縮力を印加する場合において）圧力が印加された時に接合を形成するように構成された（例えば、ロールされた形状、シート形状等で提供された）接着剤である。感圧接着剤は、（例えば、嵌め合いコンポーネンツ等の結合の前に）感圧接着剤の表面を破片がないものに保つ保護層（例えば、図４に示された層２９）を含んでいても良い。
【００１５】
先に示されたように、いくつかの実施形態では、第１の接着剤層２２（例えば、それは比較的より薄い接着剤層であっても良い）は、偏光子２６の第１の表面と液晶ディスプレイコンポーネント（例えば、ＬＣＤのガラス基板コンポーネント）の間に接合を提供してＬＣＤディスプレイを形成するように構成されている。第２の接着剤層２４は、偏光子２６の第２の表面とカバーアッセンブリーまたはその他のコンポーネント（例えば、図１に示されたカバーアッセンブリー１４）の間に接合を提供するように構成されている。様々な代替的実施形態によると、第１の接着剤層２２および／または第２の接着剤層２４は、偏光子２６とここに説明されたもの以外のコンポーネンツ（例えば、ガラスマイクロシーツ、プラスチック基板、タッチスクリーン、パターン付リターダーガラス板（３Ｄ、ステレオスコープ）、ガラス無し３Ｄのためのレンチキュラーレンズアレイ（オートステレオ）等）の間の接合を提供しても良い。
【００１６】
ここで図５を参照すると、偏光子アッセンブリー２８のような偏光子アッセンブリーと、偏光子アッセンブリーを利用したディスプレイを作成する方法が、例示的実施形態に従って示されている。図５に示されるように、第１の接着剤層が偏光子フィルムの第１のサイドに施される（ステップ３２）。例えば、第１の接着剤層２２は、偏光子２６に施されても良い。いくつかの実施形態では、第１の接着剤層２２は、図６に示されるように、ロールツーロール積層プロセスとロールツーロール積層デバイス５０を使って偏光子２６に積層されても良い。その他の実施形態では、接着剤の１つ以上の層が、好適なコーティングプロセスを使って偏光子２６に直接塗膜されても良い。ここで説明されたように、第１の接着剤層２２は、感圧接着剤の比較的薄い層であっても良い。次に、第２の接着剤層が、偏光子フィルムの第２のサイドに施される（ステップ３４）。例えば、第２の接着剤層２４は、偏光子２６に施されても良い。いくつかの実施形態では、第２の接着剤層２４は、図６に示されるように、ロールツーロール積層プロセスとロールツーロール積層デバイス５２を使って偏光子２６に積層されても良い。
【００１７】
いくつかの実施形態では、一旦第１および第２の接着剤層が偏光子に施されると、結果として得られる偏光子アッセンブリーは、後の使用／追加の処理（例えば、切断等）のためにロールされるかそうでなければ格納されても良い。いくつかの実施形態では、結果として得られる偏光子は、ロールツーロールプロセス、フレキシブルツーリジッド積層プロセス等を介した将来の積層に好適な、柔軟なおよび／またはロール可能なフィルムである。
【００１８】
更に図５を参照すると、いくつかの実施形態では、偏光子アッセンブリーは、ディスプレイアッセンブリー中に組み込まれても良い。例えば、偏光子アッセンブリーは、液晶ディスプレイを形成しているその他のコンポーネンツに接合されても良い（ステップ３６）。追加のコンポーネンツの接合のために設けられた接着剤の外向きに面した層（例えば、第２の接着剤層２４）無しで提供される典型的なＬＣＤディスプレイとは対照的に、偏光子アッセンブリー２８のような偏光子アッセンブリーが設けられたＬＣＤアッセンブリーが、積層等の追加の中間ステップ無しで、カバーアッセンブリー１４（例えば、カバーガラス、タッチスクリーン等）のような追加のコンポーネンツを受け取るために用意される。
【００１９】
カバーアッセンブリーが、第２の接着剤層を介して偏光子アッセンブリーに接合されても良い（ステップ３８）。例えば、カバーガラス、タッチスクリーン、またはその他のコンポーネントのようなカバーアッセンブリー１４が、ＬＣＤアッセンブリーに接合されても良い。図４に示された保護層２９のようなあらゆる保護層は、第２の接着剤層を露出するために最初取り外される。次に、ディスプレイが、好適な積層プロセスを使ってカバーアッセンブリーに接合されても良い。いくつかの実施形態では、ディスプレイとカバーアッセンブリーの適切なリジッドツーリジッド積層を提供するために、ドライフィルム積層プロセス（図７参照）が利用されても良い。例示的なドライフィルム積層プロセスが、２００８年１月１８日に出願された米国出願番号12/009,375に示されて描かれており、それはここに引用によって組み込まれる。様々な代替的実施形態によると、積層のその他の好適な形が利用されても良い。
【００２０】
図６を参照すると、偏光子アッセンブリー２８のような偏光子アッセンブリーを組み立てるためのシステム４０が、例示的実施形態に従って示されている。第１の積層デバイス５０（例えば、ロール積層器等）が、（例えばロールツーロール積層プロセスを介して）第１の接着剤層２２を偏光子２６に積層するのに使われても良い。第２の積層デバイス５２（例えば、第２のロール積層器等）が、第２の接着剤層２４を偏光子２６、接着剤２２に積層し、それにより偏光子アッセンブリー２８を形成するのに使われても良い。図６は２つの積層デバイス５０、５２を示しているが、様々な代替的実施形態によると、より多くかまたはより少ない積層デバイスまたはその他のデバイスが利用されても良いことに注意すべきである。更には、いくつかの実施形態では、接着剤は、偏光子の表面上に直接塗膜されても良い。
【００２１】
この開示の目的のために、「結合された」という用語は、２つの部材を直接的または間接的にお互いと結合することを意味する。そのような結合は、静止した性質であっても可動な性質であっても良い。そのような結合は、お互いに単一の単体として一体的に形成されている２つの部材かまたは２つの部材とあらゆる追加の中間部材で、またはお互いに取り付けられている２つの部材かまたは２つの部材とあらゆる追加の中間部材で、達成されても良い。そのような結合は、恒久的な性質であっても良く、代替的に取り外し可能または開放可能な性質であっても良い。そのような結合はまた、２つのコンポーネンツの間の機械的、流体的、または電気的関係に関連していても良い。
【００２２】
例示的実施形態において示されたような偏光子とディスプレイアッセンブリーのエレメンツの構成と配置は描写的に過ぎないことに注意することが重要である。この開示ではわずかな実施形態のみが詳細に記載されたが、実施形態に記載された主題の新規な教示内容と利点から実質的に逸脱すること無しに、多くの変形（例えば、様々なエレメンツのサイズ、寸法、構造、形状および性質、パラメータの値、載置配置、材料、色、向き等における変動）が可能であることを、この開示を検討した当業者は容易に理解するであろう。従って、全てのそのような変形は、添付の請求項において規定された本開示の範囲内に含まれることが意図されている。あらゆるプロセスまたは方法ステップの順番またはシーケンスは、代替的実施形態に従って変動されるかまたは再シーケンス化されても良い。その他の代用、変形、変更および／または省略が、本開示の精神から逸脱すること無く、例示的実施形態のデザイン、動作条件および配置においてなされても良い。
【図１】
2014514612.tif 000003
【図２】
2014514612.tif 000004
【図３】
2014514612.tif 000005
【図４】
2014514612.tif 000006
【図５】
2014514612.tif 000007
【図６】
2014514612.tif 000008
【図７】
2014514612.tif 000009
【国際調査報告】
2014514612.tif 000010
2014514612.tif 000011
2014514612.tif 000012